(57)【要約】  【課題】チャンネルを設定するまでにかかる時間と、設定したチャンネルの放送を最良状態で視聴可能にするまでにかかる時間とを短縮可能な放送受信機を提供する。  【解決手段】ユーザに、チャンネルが選局された後、当該チャンネルを受信チャンネルとして設定することを指示するＡＤＤボタンが押されると、当該チャンネルのチャンネル情報のみをメモリに保存する。これにより、選局されたチャンネルを設定するまでにかかる時間が短縮可能となる。またその後、設定したチャンネルが再び選局されたときに、当該チャンネルに対応するスマートアンテナの方向情報がメモリに保存されていないので、メモリの保存情報に拘束されることなく、即座にスマートアンテナの指向性方向を切り替えながら、当該チャンネルの放送を最良に受信可能な指向性方向を探すことができ、当該放送を最良状態で視聴可能になるまでにかかる時間が短縮可能となる。【選択図】  図５
2006013929.tif 000002
【特許請求の範囲】
【請求項１】
予め設定された複数の方向に指向性を切替可能なスマートアンテナによって、放送局から送信される所定のチャンネルのテレビジョン放送を受信する放送受信機において、
前記スマートアンテナを制御して指向性方向を切り替えさせる制御部と、
所定のチャンネルを示すチャンネル情報と前記スマートアンテナの指向性方向を示す方向情報とを記憶するためのメモリと、
ユーザに所定のチャンネルを受信チャンネルとして設定することを指示させる指示手段と、
ユーザに前記スマートアンテナの前記方向情報を保存するか否かを問合せて、いずれかを指示させる問合せ指示手段と、を備え、
前記制御部は、
前記スマートアンテナの指向性方向を全方向に切り替えさせながら、所定のチャンネルの放送をスマートアンテナに受信させて行き、受信させた放送の映像とスマートアンテナが向いている指向性方向とをテレビジョン受像機に随時表示させ、所定のチャンネルの放送を最良に受信可能な方向が特定できると、当該方向に前記スマートアンテナの指向性方向を保持し、
ユーザに前記指示手段によって所定のチャンネルを受信チャンネルとして設定することを指示され、かつ前記問合せ指示手段によって前記スマートアンテナの前記方向情報を保存することを指示された場合に、所定のチャンネルの前記チャンネル情報と、保存することを指示されたときに前記スマートアンテナが向いていた指向性方向を示す方向情報とを関連付けて前記メモリに保存し、
ユーザに前記指示手段によって所定のチャンネルを受信チャンネルとして設定することを指示され、かつ前記問合せ指示手段によって前記スマートアンテナの前記方向情報を保存しないことを指示された場合に、所定のチャンネルの前記チャンネル情報のみを前記メモリに保存することを特徴とする放送受信機。
【請求項２】
予め設定された複数の方向に指向性を切替可能な指向性切替アンテナによって、放送局から送信される所定のチャンネルの放送を受信する放送受信機において、
前記指向性切替アンテナを制御して指向性方向を切り替えさせる制御部と、
所定のチャンネルを示すチャンネル情報と前記指向性切替アンテナの指向性方向を示す方向情報とを記憶するためのメモリと、
ユーザに所定のチャンネルを受信チャンネルとして設定することを指示させる指示手段と、を備え、
前記制御部は、ユーザに前記指示手段によって所定のチャンネルを受信チャンネルとして設定することを指示されると、所定のチャンネルの前記チャンネル情報のみを前記メモリに保存することを特徴とする放送受信機。
【請求項３】
予め設定された複数の方向に指向性を切替可能な指向性切替アンテナによって、放送局から送信される所定のチャンネルの放送を受信する放送受信機において、
前記指向性切替アンテナを制御して指向性方向を切り替えさせる制御部と、
所定のチャンネルを示すチャンネル情報と前記指向性切替アンテナの指向性方向を示す方向情報とを記憶するためのメモリと、
ユーザに所定のチャンネルを受信チャンネルとして設定することを指示させる指示手段と、
ユーザに前記指向性切替アンテナの前記方向情報を保存するか否かを問合せて、いずれかを指示させる問合せ指示手段と、を備え、
前記制御部は、ユーザに前記指示手段によって所定のチャンネルを受信チャンネルとして設定することを指示され、かつ前記問合せ指示手段によって前記指向性切替アンテナの前記方向情報を保存することを指示された場合に、所定のチャンネルの前記チャンネル情報と前記指向性切替アンテナの前記方向情報とを関連付けて前記メモリに保存し、ユーザに前記指示手段によって所定のチャンネルを受信チャンネルとして設定することを指示され、かつ前記問合せ指示手段によって前記指向性切替アンテナの前記方向情報を保存しないことを指示された場合に、所定のチャンネルの前記チャンネル情報のみを前記メモリに保存することを特徴とする放送受信機。
【請求項４】
請求項３に記載の放送受信機において、
前記制御部は、ユーザに前記問合せ指示手段によって前記方向情報の保存を指示されたときに前記指向性切替アンテナが向いていた指向性方向を示す方向情報を、前記チャンネル情報と関連付けて前記メモリに保存することを特徴とする放送受信機。
【請求項５】
請求項２ないし請求項４のいずれかに記載の放送受信機において、
前記制御部は、前記指向性切替アンテナの指向性方向を全方向に切り替えさせながら、所定のチャンネルの放送を指向性切替アンテナに受信させて行き、受信させた放送を再生手段に随時再生させ、所定のチャンネルの放送を最良に受信可能な方向が特定できると、当該方向に前記指向性切替アンテナの指向性方向を保持することを特徴とする放送受信機。
【請求項６】
請求項２ないし請求項５のいずれかに記載の放送受信機において、
前記制御部は、前記指向性切替アンテナが向いている指向性方向を表示手段に随時表示させることを特徴とする放送受信機。
【発明の詳細な説明】
【技術分野】
【０００１】
本発明は、放送局から送信される所定のチャンネルの放送を、指向性切替アンテナによって受信する放送受信機に関するものである。
【背景技術】
【０００２】
日本では一般に、一箇所の基地局からテレビジョン放送等の放送電波が送信されている。そのため、住居の屋根やベランダ等に放送受信用のアンテナを基地局へ向けて固定し、アンテナと放送受信機とをケーブルで接続することで、複数の放送局が送信している放送を略全て受信することができる。これに対して、米国等の海外では、複数の放送局からそれぞれ個別に放送電波が送信されている。そのため、アンテナを一箇所に向けて固定すると、アンテナの向いている方向にある放送局の放送は受信することができるが、アンテナの向いていない方向にある放送局の放送は受信することができない。
【０００３】
そこで、上記の事情を鑑みて、指向性を切り替え可能なアンテナ（以下、指向性切替アンテナという。）を利用した放送受信機が提案されている（特許文献１〜３参照）。指向性切替アンテナは、複数のアンテナ素子と各アンテナ素子に対応する位相器等から構成され、各アンテナ素子で受信した信号の位相を各位相器で制御して合成することにより、指向性を電気的に可変させる。例えば指向性切替アンテナの一例であるスマートアンテナでは、指向性を周囲の１６方向に切り替えることが規格で規定されている。放送受信機は、このような指向性切替アンテナを制御して、当該アンテナの指向性方向を所定の方向に切り替えることにより、所定の放送局から送信されている所定のチャンネルの放送電波を受信する。これにより、ユーザは、指向性切替アンテナを住居の屋根等に固定しても、点在している複数の放送局から送信されている放送を殆ど全て受信することができる。
【０００４】
上記の放送受信機において、所望のチャンネルを受信チャンネルとして設定する場合、ユーザは、リモートコントローラやスイッチ等の操作手段を操作して、所望のチャンネルを１つ選局した後、操作手段を操作して、指向性切替アンテナの指向性方向を切り替えて行く。詳しくは、ユーザの操作指示に基づいて、放送受信機の制御部が指向性切替アンテナの指向性方向を切り替えて行く。このとき、制御部は、指向性切替アンテナによって受信する放送電波を処理して、例えばテレビジョン受像機（以下、テレビという。）に映像を表示させて行く。また、指向性切替アンテナの現在の指向性方向を示すキャラクタをテレビに表示させることもある（特許文献２参照）。ユーザは、テレビを見ながら、表示される映像が最良になるように操作手段を操作して、指向性切替アンテナの指向性方向を切り替えて行く。そして、映像が最良になる指向性切替アンテナの指向性方向が特定できると、ユーザは、操作手段で所定の操作を行って、受信しているチャンネルと、特定した指向性切替アンテナの指向性方向を放送受信機にセットする。これにより、制御部が、選局されたチャンネルを示すチャンネル情報と、このときの指向性切替アンテナの指向性方向を示す方向情報とをメモリに記憶する。このようにして受信チャンネルを設定しておくと、その後ユーザが操作手段を操作して、設定したチャンネルを再び選局したときに、制御部が、当該チャンネルに対応する指向性切替アンテナの方向情報をメモリから読み出し、その方向情報の示す方向に指向性切替アンテナの指向性を切り替えさせることができる。このため、選局されたチャンネルの放送が指向性切替アンテナによって即座に受信でき、当該放送の最良な映像がテレビに再生（表示）されて、ユーザに即座に視聴可能となる。
【０００５】
また、放送受信機には、所定のチャンネルの受信電力レベルが最大になるように、自動的に指向性切替アンテナの指向性方向を定めるものがある（特許文献３参照）。この放送受信機では、ユーザが所望のチャンネルを選局したとき等に、制御部が、指向性切替アンテナの指向性を全方向にスキャンさせて、最大受信電力のレベルの方向を捜索し、当該方向に指向性切替アンテナの指向性を保持する。このため、ユーザが操作手段を操作して、指向性切替アンテナの指向性方向を切り替えなくても、選局したチャンネルの放送が指向性切替アンテナによって受信され、当該放送の最良な映像がテレビに再生されて、ユーザに視聴可能となる。
【特許文献１】特開２００１−１６８６２７号公報（段落００１９〜００２８、図２）
【特許文献２】特開平６−３３４９３１号公報（段落００４１〜００５２、００６１、００６２、図７）
【特許文献３】特開平１１−２９８２２６号公報（段落０００９〜００１５、図５、図６、図１０）
【発明の開示】
【発明が解決しようとする課題】
【０００６】
複数の放送局の中には、昼間は放送を行っていないが、夜間は放送を行っているというように、限られた時間だけ放送を行っている局がある。このような放送局の放送に対応するチャンネルを、従来の放送受信機で受信チャンネルとして設定する場合、放送が行われている時間に設定すると、ユーザは、指向性切替アンテナの指向性方向を切り替えて行くことで、放送を最良に受信可能な指向性方向を特定することができるが、放送が行われていない時間に設定すると、指向性切替アンテナの指向性方向を切り替えて行っても、放送自体を受信できないので、放送を最良に受信可能な指向性方向を特定することができない。このため、放送が行われている時間が不明である等の理由により、放送が行われていない時間に上記チャンネルを設定しようとすると、ユーザは、放送を最良に受信可能な方向が特定できないことを確認した後に、適当な指向性方向を選んで、チャンネル情報と選んだ指向性方向を示す方向情報とをメモリに記憶させなければならず、設定に時間がかかるという問題がある。また、このように適当にチャンネルを設定すると、その後ユーザがそのチャンネルを選局したときに、制御部が当該チャンネルに対応する方向情報をメモリから読み出して、当該方向情報の示す方向に指向性切替アンテナの指向性を切り替えさせても、当該チャンネルの放送を最良に受信することはできない。このため、当該チャンネルの放送を最良状態で視聴しようとすると、制御部がメモリに記憶された方向情報に拘束されて、まず当該方向情報の示す方向に指向性切替アンテナの指向性方向を切り替えさせた後、ユーザはその切り替え後の方向が放送を最良に受信可能な方向でないことを確認して、指向性切替アンテナの指向性方向を切り替えて行きながら最良に受信可能な方向を探さなければならず、最良状態で視聴できるまでに時間がかかるという問題がある。
【０００７】
また一方で、受信場所によっては、周囲に飛び交う妨害電波の影響力が、昼間は弱いが夜間は強いというように時間によって異なるため、あるチャンネルの放送を最良に受信可能な指向性切替アンテナの指向性方向が、時間によって異なることがある。このような受信場所でそのチャンネルを、従来の放送受信機で受信チャンネルとして設定すると、その後ユーザが当該チャンネルを選局したときに、制御部が当該チャンネルに対応する方向情報をメモリから読み出して、当該方向情報の示す方向に指向性切替アンテナの指向性を切り替えさせても、ある時間では、当該チャンネルの放送を最良に受信することはできるが、別のある時間では、当該チャンネルの放送を最良に受信することはできない。このため、別のある時間に当該チャンネルの放送を最良状態で視聴しようとすると、上述したのと同様に、制御部がメモリの方向情報に拘束されて、まず指向性切替アンテナの指向性方向を切り替えさせた後、ユーザは指向性方向を切り替えて行きながら最良に受信可能な方向を探さなければならず、時間がかかるという問題がある。
【０００８】
本発明は、上述した問題点を解決するものであって、その課題とするところは、チャンネルを設定するまでにかかる時間と、設定したチャンネルの放送を最良状態で視聴可能にするまでにかかる時間とを短縮可能な放送受信機を提供することにある。
【課題を解決するための手段】
【０００９】
本発明では、予め設定された複数の方向に指向性を切替可能な指向性切替アンテナによって、放送局から送信される所定のチャンネルの放送を受信する放送受信機において、指向性切替アンテナを制御して指向性方向を切り替えさせる制御部と、所定のチャンネルを示すチャンネル情報と指向性切替アンテナの指向性方向を示す方向情報とを記憶するためのメモリと、ユーザに所定のチャンネルを受信チャンネルとして設定することを指示させる指示手段とを設け、制御部は、ユーザに指示手段によって所定のチャンネルを受信チャンネルとして設定することを指示されると、所定のチャンネルのチャンネル情報のみをメモリに保存する。
【００１０】
このようにすることで、所定のチャンネルの放送を最良に受信可能な指向性切替アンテナの指向性方向を特定できるか否かに関係なく、所定のチャンネルのチャンネル情報のみをメモリに保存して、所定のチャンネルを受信チャンネルとして設定するので、設定するまでにかかる時間が短縮可能となる。そして、このように所定のチャンネルを設定しておくと、その後当該所定のチャンネルが選局されたときに、所定のチャンネルに対応する指向性切替アンテナの方向情報がメモリに保存されていないので、メモリの保存情報に拘束されることなく、即座に指向性切替アンテナの指向性方向を切り替えて行きながら所定のチャンネルの放送を最良に受信可能な方向を探すことができ、当該放送を最良状態で視聴可能になるまでにかかる時間が短縮可能となる。
【００１１】
また、他の本発明では、予め設定された複数の方向に指向性を切替可能な指向性切替アンテナによって、放送局から送信される所定のチャンネルの放送を受信する放送受信機において、指向性切替アンテナを制御して指向性方向を切り替えさせる制御部と、所定のチャンネルを示すチャンネル情報と指向性切替アンテナの指向性方向を示す方向情報とを記憶するためのメモリと、ユーザに所定のチャンネルを受信チャンネルとして設定することを指示させる指示手段と、ユーザに指向性切替アンテナの方向情報を保存するか否かを問合せて、いずれかを指示させる問合せ指示手段とを設け、制御部は、ユーザに指示手段によって所定のチャンネルを受信チャンネルとして設定することを指示され、かつ問合せ指示手段によって指向性切替アンテナの方向情報を保存することを指示された場合に、所定のチャンネルのチャンネル情報と指向性切替アンテナの方向情報とを関連付けてメモリに保存し、ユーザに指示手段によって所定のチャンネルを受信チャンネルとして設定することを指示され、かつ問合せ指示手段によって指向性切替アンテナの方向情報を保存しないことを指示された場合に、所定のチャンネルのチャンネル情報のみをメモリに保存する。
【００１２】
このようにすることで、ユーザは指向性切替アンテナの方向情報を保存するか否かを指示できるため、所定のチャンネルを受信チャンネルとして設定する際に、所定のチャンネルの放送を最良に受信可能な指向性方向が特定できたときには、方向情報を保存することを指示することで、所定のチャンネルのチャンネル情報と特定した指向性方向を示す方向情報とを関連付けてメモリに保存して、所定のチャンネルを設定することができる。そして、このように所定のチャンネルを設定しておくと、その後当該所定のチャンネルが選局されたときに、所定のチャンネルに対応する方向情報がメモリに保存されているので、当該方向情報の示す方向に指向性切替アンテナの指向性方向を切り替えることで、即座に所定のチャンネルの放送を最良に受信することができ、当該放送を最良状態で視聴可能になるまでにかかる時間が短縮可能となる。一方、所定のチャンネルを受信チャンネルとして設定する際に、所定のチャンネルの放送を最良に受信可能な指向性方向が特定できなかったときには、方向情報を保存しないことを指示することで、所定のチャンネルのチャンネル情報のみをメモリに保存して、所定のチャンネルを受信チャンネルとして設定することができ、設定するまでにかかる時間が短縮可能となる。そして、このように所定のチャンネルを設定しておくと、その後当該所定のチャンネルが選局されたときに、所定のチャンネルに対応する方向情報がメモリに保存されていないので、メモリの保存情報に拘束されることなく、即座に指向性切替アンテナの指向性方向を切り替えて行きながら所定のチャンネルの放送を最良に受信可能な方向を探すことができ、当該放送を最良状態で視聴可能になるまでにかかる時間が短縮可能となる。
【００１３】
また、本発明の一実施形態では、制御部は、ユーザに問合せ指示手段によって方向情報の保存を指示されたときに指向性切替アンテナが向いていた指向性方向を示す方向情報を、チャンネル情報と関連付けてメモリに保存する。
【００１４】
このようにすることで、ユーザの好きなタイミングで方向情報を保存させることができる。このため、所定のチャンネルの放送を最良に受信可能な指向性方向が特定される前に、ユーザは方向情報をチャンネル情報と関連付けて保存させることができ、所望のチャンネルを設定するまでにかかる時間が短縮可能となる。
【００１５】
また、本発明の一実施形態では、制御部は、指向性切替アンテナの指向性方向を全方向に切り替えさせながら、所定のチャンネルの放送を指向性切替アンテナに受信させて行き、受信させた放送を再生手段に随時再生させ、所定のチャンネルの放送を最良に受信可能な方向が特定できると、当該方向に指向性切替アンテナの指向性方向を保持する。
【００１６】
このようにすることで、自動的に指向性切替アンテナの指向性方向が切り替えられて、所定のチャンネルの放送を最良に受信可能な方向が特定されるので、ユーザが指向性切替アンテナの指向性方向を切り替えながら最良に受信可能な方向を特定する手間を省くことができ、ユーザが行うよりも特定するまでにかかる時間が短縮可能となる。また、指向性切替アンテナが受信する放送を再生手段に随時再生させるので、ユーザは再生状態から所定のチャンネルの放送の受信状態を認識し、当該放送を最良に受信可能な方向が特定できたか否かを把握することができる。このため、ユーザは指向性切替アンテナの方向情報を保存するか否かの判断と、保存する指向性方向の指定を容易に行うことができ、所定のチャンネルを設定するまでにかかる時間を一層短縮可能となる。さらに、所定のチャンネルのチャンネル情報のみをメモリに保存して、所定のチャンネルを設定した場合には、その後当該所定のチャンネルが選局されたときに、即座にかつ自動的に指向性切替アンテナの指向性方向が切り替えられながら所定のチャンネルの放送を最良に受信可能な方向が探されるので、所定のチャンネルの放送を最良状態で視聴可能になるまでにかかる時間を一層短縮可能となる。
【００１７】
また、本発明の一実施形態では、制御部は、指向性切替アンテナが向いている指向性方向を表示手段に随時表示させる。
【００１８】
このようにすることで、ユーザは指向性切替アンテナが実際に向いている指向性方向を認識することができ、表示される指向性方向が一方向に安定しているかどうかに基づいて、所定のチャンネルの放送を最良に受信可能な方向が特定できたか否かを把握することができる。このため、ユーザは指向性切替アンテナの方向情報を保存するか否かの判断と、保存する指向性方向の指定を容易に行うことができ、所定のチャンネルを設定するまでにかかる時間を一層短縮可能となる。
【００１９】
さらに、本発明の典型的な一実施形態では、予め設定された複数の方向に指向性を切替可能なスマートアンテナによって、放送局から送信される所定のチャンネルのテレビジョン放送を受信する放送受信機において、スマートアンテナを制御して指向性方向を切り替えさせる制御部と、所定のチャンネルを示すチャンネル情報とスマートアンテナの指向性方向を示す方向情報とを記憶するためのメモリと、ユーザに所定のチャンネルを受信チャンネルとして設定することを指示させる指示手段と、ユーザにスマートアンテナの方向情報を保存するか否かを問合せて、いずれかを指示させる問合せ指示手段とを設ける。この構成において、制御部は、スマートアンテナの指向性方向を全方向に切り替えさせながら、所定のチャンネルの放送をスマートアンテナに受信させて行き、受信させた放送の映像とスマートアンテナが向いている指向性方向とをテレビジョン受像機に随時表示させ、所定のチャンネルの放送を最良に受信可能な方向が特定できると、当該方向にスマートアンテナの指向性方向を保持する。そして、制御部は、ユーザに指示手段によって所定のチャンネルを受信チャンネルとして設定することを指示され、かつ問合せ指示手段によってスマートアンテナの方向情報を保存することを指示された場合に、所定のチャンネルのチャンネル情報と、保存することを指示されたときにスマートアンテナが向いていた指向性方向を示す方向情報とを関連付けてメモリに保存する。また、制御部は、ユーザに指示手段によって所定のチャンネルを受信チャンネルとして設定することを指示され、かつ問合せ指示手段によってスマートアンテナの方向情報を保存しないことを指示された場合には、所定のチャンネルのチャンネル情報のみをメモリに保存する。
【００２０】
このようにすることで、ユーザはスマートアンテナの方向情報を保存するか否かを指示できるため、所定のチャンネルを受信チャンネルとして設定する際に、所定のチャンネルの放送を最良に受信可能な指向性方向が特定されたときには、方向情報を保存することを指示することで、所定のチャンネルのチャンネル情報と特定された指向性方向を示す方向情報とを関連付けてメモリに保存して、所定のチャンネルを設定することができる。そして、このように所定のチャンネルを設定しておくと、その後当該所定のチャンネルが選局されたときに、所定のチャンネルに対応する方向情報がメモリに保存されているので、当該方向情報の示す方向にスマートアンテナの指向性方向を切り替えることで、即座に所定のチャンネルの放送を最良に受信することができ、当該放送を最良状態で視聴可能になるまでにかかる時間が短縮可能となる。一方、所定のチャンネルを受信チャンネルとして設定する際に、所定のチャンネルの放送を最良に受信可能な指向性方向が特定されなかったときには、方向情報を保存しないことを指示することで、所定のチャンネルのチャンネル情報のみをメモリに保存して、所定のチャンネルを受信チャンネルとして設定することができ、設定するまでにかかる時間が短縮可能となる。そして、このように所定のチャンネルを設定しておくと、その後当該所定のチャンネルが選局されたときに、所定のチャンネルに対応する方向情報がメモリに保存されていないので、メモリの保存情報に拘束されることなく、即座にスマートアンテナの指向性方向を切り替えて行きながら所定のチャンネルの放送を最良に受信可能な方向を探すことができ、当該放送を最良状態で視聴可能になるまでにかかる時間が短縮可能となる。
【発明の効果】
【００２１】
本発明によれば、所定のチャンネルのチャンネル情報のみをメモリに保存して、受信チャンネルとして設定するので、設定するまでにかかる時間が短縮可能となる。またその後、設定した所定のチャンネルが選局されたときに、当該チャンネルに対応する指向性切替アンテナの方向情報がメモリに保存されていないので、メモリの保存情報に拘束されることなく、即座に指向性切替アンテナの指向性方向を切り替えながら当該チャンネルの放送を最良に受信可能な方向を探すことができ、当該放送を最良状態で視聴可能になるまでにかかる時間が短縮可能となる。
【発明を実施するための最良の形態】
【００２２】
図１は、テレビジョン放送の受信システムを示すブロック図である。図１において、１は放送受信機、２はスマートアンテナ、３はテレビジョン受像機（以下、テレビという。）である。放送受信機１とテレビ３とは、一般家庭の住居内に据置されていて、ケーブルにより接続されている。スマートアンテナ２は、住居の屋根またはベランダに取付固定されていて、放送受信機１とケーブルにより接続されている。スマートアンテナ２は、４本のアンテナ素子２ａ〜２ｄと、各アンテナ素子２ａ〜２ｄに対応させて設けた位相器、合成器、および制御回路等（アンテナ素子２ａ〜２ｄ以外は図示省略）を備えていて、各アンテナ素子２ａ〜２ｄによって受信した信号の位相を各位相器で制御し、制御後の信号を合成器で合成することにより、指向性を電気的に１６方向に切り替える。
【００２３】
図２は、スマートアンテナ２の指向性方向を示した図である。図２において、各直線はスマートアンテナ２が切り替える指向性方向を示し、各直線の交差している部分はスマートアンテナ２の中心を示している。０〜１５の番号は各指向性方向を示している。つまり、スマートアンテナ２は、周囲３６０°を１６分割した各方向に指向性を切り替える。放送受信機１は、このスマートアンテナ２を制御して、スマートアンテナ２の指向性方向を切り替えさせることにより、住居の周辺に点在する複数の放送局より送信されるテレビジョン放送電波を受信する。
【００２４】
図１の４はＣＰＵやＲＯＭやＲＡＭ等からなる制御部である。制御部４のＲＯＭには、制御用のプログラムおよびデータが記憶されていて、ＲＡＭには、制御用のデータが読み書き可能に記憶される。この制御部４は、放送受信機１の各部を制御するとともに、スマートアンテナ２の指向性方向の切り替え制御を行う。５はチューナ、６は信号処理部、７はＯＳＤ回路である。チューナ５は、スマートアンテナ２によって受信されたテレビジョン放送電波から所定のチャンネルのテレビジョン放送信号を抽出する。信号処理部６は、チューナ５から出力されるテレビジョン放送信号を処理して映像信号と音声信号とを生成し、生成した映像信号と音声信号とをテレビ３に出力する。ＯＳＤ回路７は、制御部４から出力される画像データをテレビ３にＯＳＤ（オンスクリーン表示）として表示できるように処理して出力する。テレビ３は、信号処理部６から出力される映像信号と音声信号とを処理して、映像をモニタに表示して再生し、音声をスピーカから出力して再生する。また、テレビ３は、ＯＳＤ回路７から出力される画像データを処理して、画像をモニタにＯＳＤとして表示する。表示する画像には、図２のスマートアンテナ２の指向性方向を示す図が含まれる（例えば、図４に図示）。
【００２５】
８は不揮発性のメモリである。制御部４は、このメモリ８の所定領域に、後述するように所定のチャンネルを示すチャンネル情報とスマートアンテナ２の指向性方向を示す方向情報とを記憶する。９はチャンネルキーや電源キー等の各種のキーが備わった操作部である。１０はリモコン受信部であって、リモートコントローラ（以下、リモコンという。）１１からの信号を受信する。リモコン１１には、チャンネルキー、メニューキー、および十字キー等の各種のキーが備わっている。
【００２６】
上記構成において、放送受信機１は、本発明における放送受信機の一実施形態を構成する。スマートアンテナ２は、本発明における指向性切替アンテナの一実施形態をする。テレビ３は、本発明における再生手段と表示手段の一実施形態をする。制御部４は、本発明における制御部の一実施形態をする。メモリ８は、本発明におけるメモリの一実施形態を構成する。
【００２７】
上述した構成において、ユーザが、初めて放送受信機１とスマートアンテナ２とを接続して電源を投入すると、または前述のリモコン１１で所定の操作を行うと、制御部４は、オートスキャン処理を実行する。なお、オートスキャン処理とは、自動的に、全ての受信可能なチャンネルをスキャンして（探して）、受信チャンネルとして設定する処理のことである。制御部４は、オートスキャン処理を開始すると、まず予めＲＯＭに記憶された受信候補のチャンネル（例えば、２チャンネル〜６９チャンネル）の中からチャンネルを１つ選択して、選択したチャンネルのチャンネル番号をスマートアンテナ２に通知する。スマートアンテナ２は、チャンネル番号の通知を受けると、そのチャンネル番号に応じた周波数帯域の電波を受信できるように各部を設定する。
【００２８】
チャンネル番号の通知後、制御部４は、指向性方向を０〜１５のいずれかの方向に切り替えることを指示した制御信号を、スマートアンテナ２に所定の周期で送信して、スマートアンテナ２に指向性方向を所定の順序で全方向に切り替えさせながら、選択したチャンネルの放送電波を受信させて行く。なお、指向性方向の切り替えは、例えば番号の小さな方向から順番に行う（図２の「０」の方向から時計回りの順番）。このとき、制御部４は、スマートアンテナ２が放送電波を受信する毎に、当該放送電波の受信レベルを検出して、受信時のスマートアンテナ２の指向性方向を示す方向情報ととともにＲＡＭに一時的に記憶して行く。なお、放送電波の受信レベルとは、アナログの放送電波の場合は、受信電力強度のことであり、デジタルの放送電波の場合は、ビットエラーレートのことである。
【００２９】
そして、制御部４は、スマートアンテナ２の指向性方向を全方向へ切り替えさせた後、ＲＡＭの記憶内容に基づいて、受信レベルが最良な指向性方向、即ち放送電波を最良に受信可能な指向性方向を特定する。詳しくは、アナログの放送電波の場合は、受信電力強度が所定レベル以上で最大の方向を最良に受信可能な指向性方向と特定し、デジタルの放送電波の場合は、ビットエラーレートが所定レベル以下で最小の方向を最良に受信可能な指向性方向と特定する。ここで、最良に受信可能な指向性方向が特定できると、制御部４は、選択したチャンネルのチャンネル情報と特定した指向性方向を示す方向情報とを関連付けてメモリ８の所定領域に保存することにより、選択したチャンネルを設定する。一方、スマートアンテナ２が放送電波を全く受信しなかったり、受信しても、受信電力強度が所定レベル未満であったり、ビットエラーレートが所定レベルを超えていなかったりして、最良に受信可能な指向性方向が特定できなければ、制御部４は、メモリ８の所定領域に何も保存せず、選択したチャンネルの設定を断念する。
【００３０】
設定後または設定断念後、制御部４は、受信候補のチャンネルの中から他のチャンネルを１つ選択して、上記と同様の手順を繰り返し実行する。そして、制御部４が受信候補の全チャンネルについて上記と同様の手順を繰り返し実行して、オートスキャン処理を終了すると、メモリ８の所定領域には、図３に示すようなチャンネル設定テーブルＴが作成される。左側にはチャンネル情報が記憶され、右側には各チャンネル情報に関連付けられたスマートアンテナ２の方向情報が記憶されている。チャンネル情報には、チャンネル番号（２、４、６、６９等）、アナログ放送（ｎｔｓｃ）またはデジタル放送（ＤＴＶ）の別、ＶＨＦ帯域またはＵＨＦ帯域の別等のような情報が含まれている。スマートアンテナ２の方向情報には、指向性方向を示す方向番号（１４、１、３、１０等）、当該方向で受信した放送電波の受信レベル（ＬＥＶ＊＊）等のような情報が含まれている。
【００３１】
チャンネル設定テーブルＴが作成されたことは、住居の周囲に点在する複数の放送局から送信されている放送電波を殆ど全て受信して、チャンネル番号毎に受信可能なスマートアンテナ２の指向性方向を設定できたことを意味する。このため、その後ユーザがリモコン１１を操作して、設定されたチャンネルを１つ選局したときに、制御部４は、選局されたチャンネルに対応するスマートアンテナ２の方向情報をテーブルＴから読み出し、当該方向情報の示す方向にスマートアンテナ２の指向性方向を切り替えさせて、同チャンネルの放送電波を即座にかつ最良に受信することができる。そして、制御部４は、受信した放送電波を処理して、即座にかつ良好にテレビ３に映像を表示させ、音声を出力させることができる。つまりこれらにより、ユーザは、選局したチャンネルの放送を短時間かつ最良状態で視聴可能となる。
【００３２】
図４は、テレビ３に表示される画面の一例を示す図である。ユーザがリモコン１１を所定の手順で操作すると、制御部４は、ＡＤＤ画面Ｇをテレビ３に表示させる。Ｂ１はユーザに所望のチャンネルを受信チャンネルとして設定することを指示させるＡＤＤボタンである。ユーザがリモコン１１を操作して、このＡＤＤボタンＢ１を押す（指定する）と、制御部４は、後述するように図５に示すフローチャートに従ってチャンネルＡＤＤ処理を実行する。ＡＤＤボタンＢ１は、本発明における指示手段の一実施形態を構成する。Ｂ２はユーザに所望のチャンネルの受信チャンネルとしての設定を解除することを指示させるＤＥＬＥＴＥボタンである。ユーザがリモコン１１を操作して、このＤＥＬＥＴＥボタンＢ２を押す（指定する）と、制御部４は、後述するように図８に示すフローチャートに従ってチャンネルＤＥＬＥＴＥ処理を実行する。Ｄはスマートアンテナ２の指向性方向を示す方向図である。この方向図Ｄには、スマートアンテナ２が向いている指向性方向が太矢印の向きで随時表示され、当該方向でスマートアンテナ２が受信している放送電波の受信レベルが太矢印の長さで随時表示される。例えば図４では、太矢印は、スマートアンテナ２が現在「５」番の方向を向いていて、長さが長いため放送電波の受信レベルが良好であることを示している。Ｒは設定済みのチャンネルの番号等を表示する表示欄である。リモコン１１を操作して、表示欄Ｒの上下に示す三角マークを押すことで、現在表示されていない他の設定済みのチャンネルの番号等を表示欄Ｒに表示させることができる。ＡＤＤ画面Ｇ中の右上には、ユーザが選局したチャンネル番号が表示され、斜線で示すＡＤＤ画面Ｇの全体には、スマートアンテナ２が受信した放送の映像が随時表示される。例えば図４では、ユーザが「９」チャンネルを選局し、スマートアンテナ２が「５」番の指向性方向で受信した「９」チャンネルの放送の映像がＡＤＤ画面Ｇの全体に表示されている。
【００３３】
ユーザが、リモコン１１を操作して、ＡＤＤ画面Ｇをテレビ３に表示させた後、リモコン１１を操作して、所望のチャンネルを選局すると、制御部４は、選局されたチャンネルのチャンネル番号をスマートアンテナ２に通知する。そして、前述のオートスキャン処理で説明したように、制御部４は、スマートアンテナ２の指向性方向を全方向に切り替えさせながら、選局されたチャンネルの放送電波を受信させて行く。このとき、制御部４は、スマートアンテナ２が受信した放送電波を処理して、放送の映像をＡＤＤ画面Ｇ中に随時表示（再生）させるとともに、スマートアンテナ２が現在向いている指向性方向（スマートアンテナ２に切り替えを指示した指向性方向）をＡＤＤ画面Ｇ中の方向図Ｄに太矢印で随時表示させる。また、制御部４は、スマートアンテナ２が受信した放送電波の受信レベルを検出して、受信時のスマートアンテナ２の指向性方向を示す方向情報ととともにＲＡＭに一時的に記憶して行く。そして、前述したようにＲＡＭの記憶内容に基づいて放送電波を最良に受信可能な指向性方向が特定できると、制御部４は、特定した方向にスマートアンテナ２の指向性方向を保持する。このとき、ＡＤＤ画面Ｇ中には、選択したチャンネルの最良な放送映像が表示され、方向図Ｄ中には、長さを変動させることなく一方向を指した太矢印が表示される。一方、前述したようにスマートアンテナ２が放送電波を全く受信しなかったり、受信しても受信レベルが条件を満たさなかったりして、最良に受信可能な指向性方向が特定できなければ、制御部４は、引き続きスマートアンテナ２の指向性方向を全方向に切り替えさせながら、選局されたチャンネルの放送電波を受信させて行く。このとき、ＡＤＤ画面Ｇ中には、選択したチャンネルの放送の映像が全く表示されていないか、当該映像が表示されていても状態が非常に悪いかであり、方向図Ｄ中には、長さと指示方向とを所定の周期で変動させる太矢印が表示される。
【００３４】
その後、ユーザが、リモコン１１を操作して、ＡＤＤボタンＢ１を押すと、制御部４は、図５のチャンネルＡＤＤ処理を開始する。図５において、制御部４は、ＡＤＤボタンＢ１が押されてＯＮ状態になったことを確認すると（ステップＳ１：ＹＥＳ）、ユーザに選局されたチャンネル（例えば「９」チャンネル）のチャンネル情報を、前述のメモリ８のチャンネル設定テーブルＴに保存する（ステップＳ２）。保存後、制御部４は、選局されたチャンネルを設定（追加（ＡＤＤ））した旨を、図６に示すようにＡＤＤ画面Ｇ中にメッセージウインドウＷにより表示する（ステップＳ３）。またこのとき、制御部４は、設定した「９」チャンネルの番号等を表示欄Ｒに表示する。そして所定時間経過後、制御部４は、ＡＤＤ画面ＧからメッセージウインドウＷを消去して、ＡＤＤボタンＢ１およびＤＥＬＥＴＥボタンＢ２を再び表示させ、チャンネルＡＤＤ処理を終了する。これにより、メモリ８のチャンネル設定テーブルＴには、図７に示すようにユーザに選局された「９」チャンネルのチャンネル情報が新たに保存され、スマートアンテナ２の指向性方向を示す方向情報は保存されていない状態となる。
【００３５】
一方、ユーザが、リモコン１１を操作して、ＤＥＬＥＴＥボタンＢ２を押すと、制御部４は、図８のチャンネルＤＥＬＥＴＥ処理を開始する。図８において、制御部４は、ＤＥＬＥＴＥボタンＢ２が押されてＯＮ状態になったことを確認すると（ステップＳ１１：ＹＥＳ）、ユーザに選局されたチャンネル（例えば「６」チャンネル）に対応するチャンネル情報とスマートアンテナ２の方向情報とを、メモリ８のチャンネル設定テーブルＴから消去する（ステップＳ１２）。消去後、制御部４は、選局されたチャンネルの設定を解除（削除（ＤＥＬＥＴＥ））した旨を、図９に示すようにＡＤＤ画面Ｇ中にメッセージウインドウＷにより表示する（ステップＳ１３）。またこのとき、制御部４は、設定を解除した「６」チャンネルの番号等を表示欄Ｒから消去する。そして所定時間経過後、制御部４は、ＡＤＤ画面ＧからメッセージウインドウＷを消去して、ＡＤＤボタンＢ１およびＤＥＬＥＴＥボタンＢ２を再び表示させ、チャンネルＤＥＬＥＴＥ処理を終了する。これにより、メモリ８のチャンネル設定テーブルＴには、図１０に示すようにユーザに選局された「６」チャンネルのチャンネル情報および方向情報が抹消された状態となる。
【００３６】
上述した図５のチャンネルＡＤＤ処理によると、所望のチャンネルの放送を最良に受信可能なスマートアンテナ２の指向性方向を特定できるか否かに関係なく、所望のチャンネルのチャンネル情報のみをメモリ８のチャンネル設定テーブルＴに保存して、所望のチャンネルを受信チャンネルとして設定するので、設定するまでにかかる時間が短縮可能となる。そして、このように所望のチャンネルを設定しておくと、その後当該所望のチャンネルが選局されたときに、所望のチャンネルに対応するスマートアンテナ２の方向情報がチャンネル設定テーブルＴに保存されていないので、チャンネル設定テーブルＴの保存情報に拘束されることなく、即座にスマートアンテナ２の指向性方向を切り替えて行きながら所望のチャンネルの放送を最良に受信可能な方向を探すことができ、当該放送を最良状態で視聴可能になるまでにかかる時間が短縮可能となる。
【００３７】
また、上述した図８のチャンネルＤＥＬＥＴＥ処理によると、設定済みのチャンネルの受信チャンネルとしての設定が解除できるので、オートスキャン処理でチャンネル情報と方向情報とがチャンネル設定テーブルＴに保存されチャンネルの放送映像の表示状態が悪くなったとき等には、チャンネルＤＥＬＥＴＥ処理で当該チャンネルの設定を解除した後、チャンネルＡＤＤ処理で当該チャンネルを再設定することで、当該チャンネルに対応する方向情報がチャンネル設定テーブルＴに保存されなくなる。このため、その後当該再設定したチャンネルが選局されたときには、チャンネル設定テーブルＴの保存情報に拘束されることなく、即座にスマートアンテナ２の指向性方向を切り替えて行きながら再設定されたチャンネルの放送を最良に受信可能な方向を探すことができ、当該放送を最良状態で視聴可能になるまでにかかる時間が短縮可能となる。
【００３８】
また、制御部４が自動的にスマートアンテナ２の指向性方向を切り替えて、選局されたチャンネルの放送を最良に受信可能な方向を特定するので、ユーザがスマートアンテナ２の指向性方向を切り替えながら最良に受信可能な方向を特定する手間を省くことができ、ユーザが行うよりも特定するまでにかかる時間が短縮可能となる。つまり、ＡＤＤ画面Ｇで所定のチャンネルを設定するまでにかかる時間、設定を解除するまでにかかる時間、およびＡＤＤ画面Ｇで設定されたチャンネルをその後の選局時に受信して視聴可能に再生するまでにかかる時間を一層短縮可能となる。
【００３９】
さらに、スマートアンテナ２が受信する放送の映像をＡＤＤ画面Ｇ中に随時表示するので、ユーザは映像の表示状態から選局したチャンネルの放送の受信状態を参考情報として認識し、当該放送を最良に受信可能な方向が特定できたか否かを把握することができる。さらに、スマートアンテナ２が向いている指向性方向と放送の受信レベルとを、ＡＤＤ画面Ｇ中の方向図Ｄに太矢印で随時表示するので、ユーザはスマートアンテナ２が実際に向いている指向性方向と、当該方向で放送を安定に受信しているかどうかを参考情報として認識することができ、所望のチャンネルの放送を最良に受信可能な方向が特定されたか否かを把握することができる。
【００４０】
図１１〜図１３は、他の実施形態を示す図である。図４のＡＤＤ画面Ｇにおいて、ユーザがリモコン１１を操作して、ＡＤＤボタンＢ１を押すと、本実施形態では、制御部４は図１１に示すチャンネルＡＤＤ処理を開始する。図１１において、制御部４は、ＡＤＤボタンＢ１が押されてＯＮ状態になったことを確認すると（ステップＳ２１：ＹＥＳ）、ユーザに選局されたチャンネル（例えば「９」チャンネル）のチャンネル情報を、メモリ８のチャンネル設定テーブルＴに保存する（ステップＳ２２）。保存後、制御部４は、チャンネル情報を保存した旨と、スマートアンテナ２の方向情報を保存するか否かの問合せを、図１２に示すようにＡＤＤ画面Ｇ中に問合せウインドウＷ１により表示する（ステップＳ２３）。問合せウインドウＷ１中には、ユーザに方向情報を保存することを指示させる「はい」ボタンＢ３と、方向情報を保存しないことを指示させる「いいえ」ボタンＢ４とが表示されている。問合せウインドウＷ１は、本発明における問合せ指示手段の一実施形態を構成する。
【００４１】
問合せウインドウＷ１が表示されると、ユーザは、ＡＤＤ画面Ｇ中の映像の表示状態や方向図Ｄ中の太矢印の変動状態を見て、選局したチャンネルの放送を最良に受信可能な指向性方向が特定されたか否かを把握し、スマートアンテナ２の方向情報を保存するか否かを判断する。ここで、ユーザが、例えば放送を最良に受信可能な方向が特定されていないのでスマートアンテナ２の方向情報を保存しないと判断して、リモコン１１を操作して、「いいえ」ボタンＢ４を押すと、制御部４は、方向情報の保存指示なしと判断し（ステップＳ２４：ＮＯ）、選局されたチャンネルを設定（ＡＤＤ）した旨を、図６に示したようにＡＤＤ画面Ｇ中のメッセージウインドウＷに表示する（ステップＳ２７）。またこのとき、制御部４は、設定した「９」チャンネルの番号等を表示欄Ｒに表示する。そして所定時間経過後、制御部４は、ＡＤＤ画面ＧからメッセージウインドウＷを消去して、ＡＤＤボタンＢ１およびＤＥＬＥＴＥボタンＢ２を再び表示させ、チャンネルＡＤＤ処理を終了する。これにより、メモリ８のチャンネル設定テーブルＴには、ユーザに選局された「９」チャンネルのチャンネル情報のみが新たに保存された状態となる。
【００４２】
一方、ステップＳ２４で、ユーザが、例えば放送を最良に受信可能な方向が特定されているのでスマートアンテナ２の方向情報を保存すると判断して、リモコン１１を操作して、「はい」ボタンＢ３を押すと、制御部４は、方向情報の保存指示有りと判断し（ステップＳ２４：ＹＥＳ）、このとき（「はい」ボタンＢ３が押されたとき）のスマートアンテナ２が向いている指向性方向を示す方向情報を、ステップＳ２２で保存したチャンネル情報に関連付けてメモリ８のチャンネル設定テーブルＴに保存する（ステップＳ２５）。保存後、制御部４は、保存したスマートアンテナ２の指向性方向を、図１３に示すようにＡＤＤ画面Ｇ中の方向図Ｄに矢印で表示し（ステップＳ２６）、選局されたチャンネルを設定（ＡＤＤ）した旨をＡＤＤ画面Ｇ中のメッセージウインドウＷに表示する（ステップＳ２７）。またこのとき、制御部４は、設定した「９」チャンネルの番号等を表示欄Ｒに表示する。なお、保存した指向性方向を示す矢印は、図１３に示すように白抜きにされる等、例えば図６に示したスマートアンテナ２の現在向いている指向性方向を示す太矢印とは異なる形態で方向図Ｄに表示される。また、図１３では、保存した指向性方向と現在向いている指向性方向とが一致しているため、保存した指向性方向を示す矢印しか方向図Ｄには表示されていないが、両指向性方向が一致しない場合は、それぞれの指向性方向を示す矢印が方向図Ｄに表示される。そして所定時間経過後、制御部４は、ＡＤＤ画面ＧからメッセージウインドウＷを消去して、ＡＤＤボタンＢ１およびＤＥＬＥＴＥボタンＢ２を再び表示させ、チャンネルＡＤＤ処理を終了する。これにより、メモリ８のチャンネル設定テーブルＴには、ユーザに選局された「９」チャンネルのチャンネル情報とスマートアンテナ２の指向性方向を示す方向情報とが新たに保存された状態となる。
【００４３】
上述した図１１のチャンネルＡＤＤ処理によると、ユーザはスマートアンテナ２の方向情報を保存するか否かを指示できる。このため、所望のチャンネルの放送を最良に受信可能な指向性方向が特定されたときには、方向情報を保存することを指示することで、所望のチャンネルのチャンネル情報と、特定された指向性方向（保存を指示した時の指向性方向）を示す方向情報とを関連付けてメモリ８のチャンネル設定テーブルＴに保存して、所望のチャンネルを設定することができる。そして、このように所望のチャンネルを設定しておくと、その後当該所望のチャンネルが選局されたときに、所望のチャンネルに対応する方向情報がチャンネル設定テーブルＴに保存されているので、当該方向情報の示す方向にスマートアンテナ２の指向性方向を切り替えることで、即座に所望のチャンネルの放送を最良に受信することができ、当該放送を最良状態で視聴可能になるまでにかかる時間が短縮可能となる。一方、所望のチャンネルの放送を最良に受信可能な指向性方向が特定されなかったときには、所望のチャンネルのチャンネル情報のみをチャンネル設定テーブルＴに保存して、所望のチャンネルを受信チャンネルとして設定することができ、設定するまでにかかる時間が短縮可能となる。そして、このように所望のチャンネルを設定しておくと、その後当該所望のチャンネルが選局されたときに、所望のチャンネルに対応する方向情報がチャンネル設定テーブルＴに保存されていないので、チャンネル設定テーブルＴの保存情報に拘束されることなく、即座にスマートアンテナ２の指向性方向を切り替えて行きながら所望のチャンネルの放送を最良に受信可能な方向を探すことができ、当該放送を最良状態で視聴可能になるまでにかかる時間が短縮可能となる。
【００４４】
また、「はい」ボタンＢ３が押されて方向情報の保存が指示されたときに、スマートアンテナ２が向いていた指向性方向を示す方向情報が保存されるので、ユーザの好きなタイミングで方向情報を保存させることができる。このため、制御部４に所望のチャンネルの放送を最良に受信可能な指向性方向が特定される前に、ユーザは、ＡＤＤ画面Ｇ中の映像の表示状態や方向図Ｄ中の太矢印の変動状態を見て、所望のチャンネルの放送をある程度良好に受信可能な指向性方向を定めて、当該方向を示す方向情報をチャンネル情報と関連付けて保存させることができ、所望のチャンネルを設定するまでにかかる時間が短縮可能となる。
【００４５】
さらに、ＡＤＤ画面Ｇ中の映像の表示状態や方向図Ｄ中の太矢印の変動状態を見ることにより、ユーザは所望のチャンネルの放送を最良に受信可能なスマートアンテナ２の指向性方向が特定されたか否かを容易に把握することができる。このため、スマートアンテナ２の方向情報を保存するか否かの判断と、保存する指向性方向の指定を容易に行うことができ、所望のチャンネルを設定するまでにかかる時間を一層短縮可能となる。
【００４６】
以上述べた実施形態では、チャンネルを追加設定するチャンネルＡＤＤ処理に、本発明を適用した例を挙げているが、本発明はこれ以外にも、全ての受信可能なチャンネルを受信チャンネルとして設定するオートスキャン処理に適用することが可能である。その場合、オートスキャン処理の開始直後に、図１４に示すような問合せ画面Ｇ１をテレビ３に表示させることにより、受信候補の全チャンネルについて一括して方向情報を保存するか否かを問合せて、「はい」ボタンＢ５または「いいえ」ボタンＢ６でいずれかを指示させるようにしてもよい。また、受信候補の中からチャンネルを１つ選択した後に、図１５に示すようなオートスキャン画面Ｇ２をテレビ３に表示させ、さらに当該画面Ｇ２中に問合せウインドウＷ２を表示させることにより、チャンネル毎に個別に方向情報を保存するか否かを問合せて、「はい」ボタンＢ７または「いいえ」ボタンＢ８でいずれかを指示させるようにしてもよい。また、放送を最良に受信可能な指向性方向を特定できなかったチャンネルだけについて、ウインドウＷ２を表示させることにより、方向情報を保存するか否かを問合せてもよい。上記の問合せ画面Ｇ１および問合せウインドウＷ２は、本発明における問合せ指示手段の一実施形態を構成する。
【００４７】
また、以上述べた実施形態では、スマートアンテナ２を接続した放送受信機１に、本発明を適用した場合を例に挙げているが、本発明はこれ以外にも、例えばスマートアンテナ以外のアダプティブアレイアンテナのような複数の方向に指向性を切替可能なアンテナを接続した放送受信機に適用することが可能である。また、例えばラジオ放送を受信する放送受信機や、衛星放送を受信する放送受信機のようなものにも適用することが可能である。
【図面の簡単な説明】
【００４８】
【図１】テレビジョン放送の受信システムを示すブロック図である。
【図２】スマートアンテナの指向性方向を示す図である。
【図３】放送受信機に備わるメモリの記憶内容の一例を示す図である。
【図４】テレビの表示画面の一例を示す図である。
【図５】チャンネルＡＤＤ処理のフローチャートである。
【図６】テレビの表示画面の一例を示す図である。
【図７】放送受信機に備わるメモリの記憶内容の一例を示す図である。
【図８】チャンネルＤＥＬＥＴＥ処理のフローチャートである。
【図９】テレビの表示画面の一例を示す図である。
【図１０】放送受信機に備わるメモリの記憶内容の一例を示す図である。
【図１１】他の実施形態に係るチャンネルＡＤＤ処理のフローチャートである。
【図１２】他の実施形態に係るテレビの表示画面の一例を示す図である。
【図１３】他の実施形態に係るテレビの表示画面の一例を示す図である。
【図１４】他の実施形態に係るテレビの表示画面の一例を示す図である。
【図１５】他の実施形態に係るテレビの表示画面の一例を示す図である。
【符号の説明】
【００４９】
１    放送受信機
２    スマートアンテナ
３    テレビ
４    制御部
８    メモリ
Ｂ１  ＡＤＤボタン
Ｗ１  問合せウインドウ
Ｇ１  問合せ画面
Ｗ２  問合せウインドウ
【図１】
2006013929.tif 000003
【図２】
2006013929.tif 000004
【図３】
2006013929.tif 000005
【図４】
2006013929.tif 000006
【図５】
2006013929.tif 000007
【図６】
2006013929.tif 000008
【図７】
2006013929.tif 000009
【図８】
2006013929.tif 000010
【図９】
2006013929.tif 000011
【図１０】
2006013929.tif 000012
【図１１】
2006013929.tif 000013
【図１２】
2006013929.tif 000014
【図１３】
2006013929.tif 000015
【図１４】
2006013929.tif 000016
【図１５】
2006013929.tif 000017